(57)【要約】【課題】省電力モードにおける無鳴動状態においても、外接電話のオフフック状態を検出できるように構成した通信装置を提供する。【解決手段】サブ電源部１０９の内部は、回線電圧供給部１１０を有する。回線電圧供給部１１０は、省電力モード時、Sリレー１０７がオン状態（外接電話が電話回線から切離された状態）で、電路を開いた側の端子から電流を流して、オフフック検出部１０６に回線電圧を供給する。詳述すると、Ｓリレー１０７の下側の切替部→ＴＥＬコネクタ１０５→オフフック検出部１０６→Ｓリレー１０７の上側の切替部の流れで通電される。これにより、省電力モードにおける無鳴動状態においても、電話１３０の受話器のオフフックをオフフック検出部１０６が検出できる。【選択図】  図１
2009171287.tif 000002
【特許請求の範囲】
【請求項１】
電話回線に接続される第１のコネクタと、前記電話回線から前記第１のコネクタを介して送信されてきた画像信号を処理する処理部と、受話器から入出力される音声信号を前記電話回線を介して送受信する電話機が接続される第２のコネクタと、を備えた通信装置において、
前記電話機の前記受話器のオフフックを、前記第２のコネクタを介して検出するオフフック検出部と、
前記第１のコネクタと、前記第２のコネクタ及び前記オフフック検出部と、を結ぶ電路で伝送される前記音声信号を中継するとともに、その電路の開閉を行う中継部と、
前記画像信号の伝送開始を知らせる呼出信号が前記電話回線から前記第１のコネクタを介して送信されてくると、前記電路を開いて、前記第２のコネクタ及び前記オフフック検出部を前記電話回線から切り離すよう前記中継部に指示する電源制御部と、
装置本体の主電源オンを待ち受ける省電力モード時に、前記中継部および前記電源制御部に電源を供給する副電源部と、を備え、
前記副電源部は、前記省電力モード時、前記中継部を介して回線電圧を前記オフフック検出部に供給する回線電圧供給部を有することを特徴とする通信装置。
【請求項２】
前記回線電圧供給部は、前記中継部における前記電路を開いた側の端子から前記回線電圧を前記オフフック検出部に供給することを特徴とする請求項１に記載の通信装置。
【請求項３】
前記電源制御部は、前記呼出信号が前記電話回線から前記第１のコネクタを介して送信されてきた時、前記回線電圧を前記オフフック検出部に供給するよう前記回線電圧供給部に指示し、
前記回線電圧供給部は、その指示があるまで、前記オフフック検出部に対する前記回線電圧の供給を停止することを特徴とする請求項１又は２に記載の通信装置。
【請求項４】
前記処理部は、前記画像信号に基づく画像を紙媒体に形成することを特徴とする請求項１から３のいずれかに記載の通信装置。
【発明の詳細な説明】
【技術分野】
【０００１】
本発明は、画像信号の受信と電話通話により送受信される音声信号の中継とを行う通信装置に関し、特に省電力モードと無鳴動機能を有する通信装置に関するものである。
【背景技術】
【０００２】
従来より、ＦＡＸの受信と電話通話により送受信される音声信号の中継とを行う通信装置が一般に広く普及している。近年では、主電源オンを待ち受ける省電力モードと外接電話の着信音が鳴るのを防ぐ無鳴動機能とを有する通信装置が一般的である。以下、このような通信装置を代表してファクシミリ装置について説明する。
【０００３】
図３は、従来のファクシミリ装置の主要部の構成を示すブロック図である。従来のファクシミリ装置３００は、LINEコネクタ３０１と、回線制御部３０２と、モデム３０３と、ＣＰＵ３０４と、TELコネクタ３０５と、オフフック検出部３０６と、Sリレー３０７と、呼出信号検出部３０８と、サブ電源部３０９と、電源制御部３１１と、主電源部３１２と、を備える。
TELコネクタ３０５には、外接電話３３０が接続されている。外接電話３３０で入力される音声信号は、ファクシミリ装置３００を介して相手方の電話機に送信される。これにより、ユーザは、相手方と外接電話３３０から通話できる。
【０００４】
また、回線制御部３０２は、LINEコネクタ３０１から入力されてくる信号に基づいて、ＦＡＸ受信の開始を示す呼出信号の有無を判断する。そして、呼出信号があった場合、回線制御部３０２は、LINEコネクタ３０１を介して、相手方のファクシミリ装置から電話回線１２０を介して伝送されてくる信号（例えば画像データ）を受信する。
【０００５】
図４の（Ａ）は、呼出信号検出部３０８に入力される信号の波形を示している。図４の（Ｂ）は、呼出信号検出部３０８から電源制御部３１１に出力されるCI信号の波形を示している。図４の（Ｃ）は、電源制御部３１１からＳリレー３０７に出力されるＳＯＮ信号の波形を示している。図４の（Ｄ）は、電源制御部３１１から主電源部３１２に出力される復帰要求信号の波形を示している。
【０００６】
呼出信号検出部３０８は、電話回線３２０のLINE電圧を検知する。呼出信号検出部３０８は、電話回線３２０のLINE電圧がプラス側に触れたことを検出すると、呼出信号が検出されたことを示すCI信号を電源制御部３１１に出力する。すると、電源制御部３１１が、このCI信号をもとにSリレー３０７へＳＯＮ信号を出力してSリレー３０７をオフ状態（接続線が接触した状態）からオン状態（図３のように接続線が離れた状態）に変える。これにより、外接電話３３０とオフフック検出部３０６は電話回線３２０から切り離され、無鳴動が実現する。
【０００７】
図３に戻り、主電源部３１２は、ファクシミリ装置３００が電源オン状態である場合、ファクシミリ装置３００の各部に電源供給する。一方、主電源部３１２は、ファクシミリ装置３００が省電力モードになった場合、ファクシミリ装置３００の各部に対する電源供給を停止する。その代わりとして、サブ電源部３０９がSリレー３０７および電源制御部３１１に電源供給する。
そのため、ファクシミリ装置３００が電源オン状態にある場合、オフフック検出部３０６は、主電源部３１２又は電話回線３２０から回線電圧を供給される。そして、この回線電圧の供給を受けて、オフフック検出部３０６は、外接電話３３０の受話器をあげた状態（即ちオフフック状態）を検出する。
なお、特許文献１には、省電力モードで無鳴動受信の設定時にＦＡＸの呼出信号を受けると、主電源をオンし、呼出信号による鳴動を行なわずに、ＦＡＸの受信動作へ移行する通信装置が示されている。
【特許文献１】特開平９−３６９９７号公報
【発明の開示】
【発明が解決しようとする課題】
【０００８】
しかしながら、省電力モードの状態では、オフフック検出部３０６に対する、主電源部３１２からの回線電圧の供給が途絶える。さらに、無鳴動状態では、オフフック検出部３０６に対する、電話回線３２０からの回線電圧の供給も途絶える。このため、省電力モードにおける無鳴動状態では、オフフック検出部３０６に回線電圧が供給されず、オフフック検出部３０６が外接電話３３０のオフフック状態を検出できない。
よって、ファクシミリ装置３００を含む従来の通信装置では、省電力モードにおける無鳴動状態において、外接電話のオフフック状態を検出できなかった。従って、従来の通信装置には、省電力モードにおける無鳴動状態において、接続音（例えば「ツ〜」）が受話器から出力されなくなるという問題があった。
【０００９】
本発明は、省電力モードにおける無鳴動状態においても、外接電話のオフフック状態を検出できるように構成した通信装置を提供することを目的とする。
【課題を解決するための手段】
【００１０】
本発明の通信装置は、前記課題を解決するために以下の構成を備えている。
【００１１】
(１)電話回線に接続される第１のコネクタと、前記電話回線から前記第１のコネクタを介して送信されてきた画像信号を処理する処理部と、受話器から入出力される音声信号を前記電話回線を介して送受信する電話機が接続される第２のコネクタと、を備えた通信装置において、
前記電話機の前記受話器のオフフックを、前記第２のコネクタを介して検出するオフフック検出部と、
前記第１のコネクタと、前記第２のコネクタ及び前記オフフック検出部と、を結ぶ電路で伝送される前記音声信号を中継するとともに、その電路の開閉を行う中継部と、
前記画像信号の伝送開始を知らせる呼出信号が前記電話回線から前記第１のコネクタを介して送信されてくると、前記電路を開いて、前記第２のコネクタ及び前記オフフック検出部を前記電話回線から切り離すよう前記中継部に指示する電源制御部と、
装置本体の主電源オンを待ち受ける省電力モード時に、前記中継部および前記電源制御部に電源を供給する副電源部と、を備え、
前記副電源部は、前記省電力モード時、前記中継部を介して回線電圧を前記オフフック検出部に供給する回線電圧供給部を有することを特徴とする。
【００１２】
この構成において、通信装置は、例えばファクシミリ装置である。電話機は、音声信号が入出力される受話器を有する。また、オフフックとは、電話機から受話器をあげた状態を意味する。また、呼出信号とは、データ通信において送受信の同期をとるための信号である。また、通信装置は、電話機が接続されている第２のコネクタを電話回線から切り離すことにより電話機の無鳴動を達成している。
この構成では、省電力モードにおける無鳴動状態時、回線電圧供給部が、オフフック検出部と電路が結ばれている中継部を介してオフフック検出部に回線電圧を供給する。これにより、省電力モードにおける無鳴動状態においても、電話機の受話器のオフフックをオフフック検出部が検出できる。従って、この通信装置では、省電力モードにおける無鳴動状態においても、接続音（例えば「ツ〜」）が受話器から出力される。
【００１３】
(２)前記回線電圧供給部は、前記中継部における前記電路を開いた側の端子から前記回線電圧を前記オフフック検出部に供給することを特徴とする。
【００１４】
この構成では、中継部の、電路を開いた側の端子から電流を流しているので、新たな構成を追加することなく、既存の回路構成でオフフック検出部に回線電圧を供給できる。
【００１５】
(３)前記電源制御部は、前記呼出信号が前記電話回線から前記第１のコネクタを介して送信されてきた時、前記回線電圧を前記オフフック検出部に供給するよう前記回線電圧供給部に指示し、
前記回線電圧供給部は、その指示があるまで、前記オフフック検出部に対する前記回線電圧の供給を停止することを特徴とする。
【００１６】
この構成により、オフフック検出部に対する回線電圧の供給が途絶える時のみ、副電源部からの回線電圧がオフフック検出部に供給される。よって、余分な電力を消費することがないので、通信装置の省電力化を図ることができる。
【００１７】
(４)前記処理部は、前記画像信号に基づく画像を紙媒体に形成することを特徴とする。
【発明の効果】
【００１８】
本発明によれば、省電力モードにおける無鳴動状態においても、電話機の受話器のオフフックをオフフック検出部が検出できる。
【発明を実施するための最良の形態】
【００１９】
以下、本発明の実施形態であるファクシミリ装置について説明する。
【００２０】
図１は、本発明の実施形態であるファクシミリ装置の主要部の構成を示すブロック図である。ファクシミリ装置１００は、LINEコネクタ１０１と、回線制御部１０２と、モデム１０３と、ＣＰＵ１０４と、TELコネクタ１０５と、オフフック検出部１０６と、Sリレー１０７と、呼出信号検出部１０８と、サブ電源部１０９と、回線電圧供給部１１０と、電源制御部１１１と、主電源部１１２と、印字部１１３と、スキャナ１１４と、を備える。
ファクシミリ装置１００は、ＦＡＸの送受信や電話通話により送受信される音声信号の中継を行う。また、ファクシミリ装置１００は、主電源オンを待ち受ける省電力モードと外接電話の着信音が鳴るのを防ぐ無鳴動機能とを有する。
【００２１】
ここで、LINEコネクタ１０１が、本発明の「第１のコネクタ」に相当する。また、TELコネクタ１０５が、本発明の「第２のコネクタ」に相当する。また、サブ電源部１０９が、本発明の「副電源部」に相当する。また、Ｓリレー１０７が、本発明の「中継部」に相当する。また、印字部１１３が、本発明の「処理部」に相当する。
【００２２】
まず、ＦＡＸの送受信に関する構成から説明する。
LINEコネクタ１０１には、電話回線１２０が接続されている。
回線制御部１０２は、LINEコネクタ１０１から入力されてくる信号に基づいて、ＦＡＸ受信の開始を示す呼出信号の有無を判断する。呼出信号とは、データ通信において送受信の同期をとるための信号である。そして、呼出信号があった場合、回線制御部１０２は、LINEコネクタ１０１を介して、相手方のファクシミリ装置から電話回線１２０を介して伝送されてくる信号（例えば画像データ）を受信する。この画像データは、モデム１０３に出力されてモデム１０３で復調され、ＣＰＵ１０４に入力する。ＣＰＵ１０４は、この画像データを（例えばランレングス符号で）復号し、復号したデータに基づいて印字部１１３で紙媒体に印字する。
【００２３】
一方、ＦＡＸ送信時では、ＣＰＵ１０４が、内蔵するメモリ（不図示）内の画像データを、モデム１０３に出力する。この画像データは、スキャナ１１４で予め読取られて該メモリに格納された画像データである。モデム１０３は、この画像データを変調し、回線制御部１０２に出力する。そして、回線制御部１０２は、LINEコネクタ１０１を介して、電話回線１２０を介して画像データを相手方のファクシミリ装置に送信する。
【００２４】
次に、電話通話により送受信される音声信号の中継機能に関する構成について説明する。
TELコネクタ１０５は、受話器が設けられた外接電話１３０と接続されている。外接電話１３０の受話器から入力される音声信号は、ファクシミリ装置１００を介して相手方の電話機に送信される。これにより、ユーザは、相手方と外接電話１３０で通話できる。
また、TELコネクタ１０５は、オフフック検出部１０６と電路で結ばれている。オフフック検出部１０６は、外接電話１３０の受話器をあげた状態（オフフック状態）を検出してEXHS信号をＣＰＵ１０４に出力する。これにより、ＣＰＵ１０４は、外接電話１３０がオフフック状態にあることを検知する。そして、ＣＰＵ１０４は、電源制御部１１１を介してSリレー１０７をオフ状態にする。これにより、ユーザは、外接電話１３０で通話可能となる。
【００２５】
また、オフフック検出部１０６には、上述の無鳴動機能を達成するためのSリレー１０７が接続されている。Sリレー１０７は、ＬＩＮＥコネクタ１０１と、TELコネクタ１０５及びオフフック検出部１０６と、を結ぶ電路で伝送される音声信号を中継する。
【００２６】
Sリレー１０７は、通常、オフ状態（接続線が接触した状態）である。無鳴動機能が有効に設定されている時に電源制御部１１１からのＳＯＮ信号を受けて、Sリレー１０７は、オン状態（図示のように接続線が離れた状態）となる。
【００２７】
図２は、ファクシミリ装置１００の各部に入出力される信号の波形を示す図である。図２の（Ａ）は、呼出信号検出部１０８に入力される信号の波形を示している。図２の（Ｂ）は、呼出信号検出部１０８から電源制御部１１１に出力されるＣＩ信号の波形を示している。図２の（Ｃ）は、電源制御部１１１からＳリレー１０７に出力されるＳＯＮ信号の波形を示している。図２の（Ｄ）は、電源制御部１１１から主電源部１１２に出力される復帰要求信号の波形を示している。
【００２８】
呼出信号検出部１０８は、例えばフォトカプラで構成される。呼出信号検出部１０８は、LINEコネクタ１０１のLINE電圧の変化に基づいて、呼出信号を検出してCI信号をＣＰＵ１０４及び電源制御部１１１に出力する。電源制御部１１１は、呼出信号検出部１０８のCI信号に基づいて、ＳＯＮ信号をSリレー１０７に出力する。これにより、Sリレー１０７がオン状態（図示のように接続線が離れた状態）となる。これにより、外接電話１３０は、電話回線１２０から切り離されるため、無鳴動を実現する。
なお、電源制御部１１１は、電話回線１２０からの呼出信号で主電源部１１２を復帰させ（図２の（Ｄ）参照）、省電力モードからＦＡＸ受信を開始するモードへ移行する。
【００２９】
図１に戻り、主電源部１１２は、ファクシミリ装置１００が電源オン状態である場合、商用電源から駆動電源を取り込んで、ファクシミリ装置１００の各部に電源供給する。一方、主電源部１１２は、ファクシミリ装置１００が省電力モード（所謂スタンバイ）になった場合、ファクシミリ装置１００の各部に対する電源供給を停止する。その代わりとして、サブ電源部１０９が商用電源から駆動電源を取り込んで、Sリレー１０７および電源制御部１１１に電源供給する。ここで、外接電話１３０は、商用電源を取り込むＡＣアダプタ（不図示）、電話回線１２０、又はＴＥＬコネクタ１０５のいずれかから回線電圧が供給される。
【００３０】
以上のような構成のもと、ファクシミリ装置１００が電源オン状態にある場合、オフフック検出部１０６は、主電源部１１２又は電話回線１２０から回線電圧を供給される。そのため、オフフック検出部１０６は、外接電話１３０の受話器をあげた状態（オフフック状態）を検出できる。よって、接続音（例えば「ツ〜」）が受話器から出力される。
【００３１】
しかしながら、ファクシミリ装置１００が省電力モードにある場合では、オフフック検出部１０６に対する、主電源部１１２からの回線電圧の供給が途絶える。さらに、Ｓリレー１０７がオンとなった無鳴動状態では、オフフック検出部１０６に対する、電話回線１２０からの回線電圧の供給も途絶える。このため、省電力モードにおける無鳴動状態では、オフフック検出部１０６に回線電圧が供給されず、オフフック検出部１０６が外接電話１３０のオフフック状態を検出できない。
【００３２】
そこで、本実施形態では、サブ電源部１０９の内部に、駆動電源から回線電圧を取り出す回線電圧供給部１１０を設けている。具体的には以下のように構成している。
【００３３】
回線電圧供給部１１０は、省電力モード時、Sリレー１０７がオン状態（図示のように外接電話が電話回線から切離された状態）で、電路を開いた側の端子から電流を流して、オフフック検出部１０６に回線電圧を供給する。詳述すると、Ｓリレー１０７の下側の切替部→ＴＥＬコネクタ１０５→オフフック検出部１０６→Ｓリレー１０７の上側の切替部の流れで通電される。
【００３４】
これにより、省電力モードにおける無鳴動状態においても、電話１３０の受話器のオフフックをオフフック検出部１０６が検出できる。よって、接続音（例えば「ツ〜」）が受話器から出力される。従って、ファクシミリ装置１００では、省電力モードにおいて無鳴動機能を有効にできる。
また、Ｓリレー１０７の、電路を開いた側の端子から電流を流しているので、新たな構成を追加することなく、既存の回路構成でオフフック検出部１０６に回線電圧を供給できる。
【００３５】
なお、Ｓリレー１０７の上側の切替部の、電路を開いた側の端子から電流を流して、オフフック検出部１０６に回線電圧を供給しても構わない。詳述すると、Ｓリレー１０７の上側の切替部→オフフック検出部１０６→ＴＥＬコネクタ１０５→Ｓリレー１０７の下側の切替部の流れで通電しても構わない。
【００３６】
また、本発明の実施形態は、以下の変形例を採用することができる。
【００３７】
回線電圧供給部１１０は、無鳴動状態でない場合の省電力モード時と電源オン時、Ｓリレー１０７への回線電圧の供給を停止しておく。そして、電源制御部１１１は、呼出信号に基づくＣＩ信号が入力された時、ＳＯＮ信号をＳリレー１０７に出力すると共に、Ｓリレー１０７に回線電圧を供給するよう指示するP-CNT信号を回線電圧供給部１１０に出力する。回線電圧供給部１１０は、このP-CNT信号を受けて、オフフック検出部１０６に対する回線電圧の供給を開始する。
これにより、オフフック検出部１０６に対する回線電圧の供給が途絶える時のみ、回線電圧供給部１１０からの回線電圧がオフフック検出部１０６に供給される。よって、余分な電力を消費することがないので、ファクシミリ装置１００の省電力化を図ることができる。
【図面の簡単な説明】
【００３８】
【図１】本発明の実施形態であるファクシミリ装置の主要部の構成を示すブロック図
【図２】ファクシミリ装置１００の各部に入出力される信号の波形を示す図
【図３】従来のファクシミリ装置の主要部の構成を示すブロック図
【図４】ファクシミリ装置３００の各部に入出力される信号の波形を示す図
【符号の説明】
【００３９】
１００−ファクシミリ装置
１０１−ＬＩＮＥコネクタ
１０２−回線制御部
１０３−モデム
１０４−ＣＰＵ
１０５−ＴＥＬコネクタ
１０６−オフフック検出部
１０８−呼出信号検出部
１０９−サブ電源部
１１０−回線電圧供給部
１１１−電源制御部
１１２−主電源部
１１３−印字部
１１３−基づいて印字部
１１４−スキャナ
１２０−電話回線
１３０−外接電話
３００−ファクシミリ装置
３０２−回線制御部
３０３−モデム
３０４−ＣＰＵ
３０６−オフフック検出部
３０８−呼出信号検出部
３０９−サブ電源部
３１１−電源制御部
３１２−主電源部
３２０−電話回線
３３０−外接電話
【図１】
2009171287.tif 000003
【図２】
2009171287.tif 000004
【図３】
2009171287.tif 000005
【図４】
2009171287.tif 000006